(57)【特許請求の範囲】
【請求項１】
サーミスタと、先端が該サーミスタに接続された一対の引き出し線と、該サーミスタと該一対の引き出し線の先端部をシールするガラスと、先端が該一対の引き出し線の各々の後端に接続された一対のリード線と、該ガラス、該一対の引き出し線の該先端部以外の部分及び該一対のリード線の先端部を被覆する合成樹脂製被覆層とを含む温度センサにおいて、
該一対の引き出し線の各々の該先端部以外の部分には、熱硬化性合成樹脂製チューブが被嵌されており、
該一対の引き出し線の一方の該後端と該一対のリード線の一方の該先端との接続部は、該一対の引き出し線の他方の該後端と該一対のリード線の他方の該先端との接続部よりも長手方向前方に位置し、該被覆層は小外径前部、該前部に続く後方に向かって外径が漸次増大する第一の増径部、該第一の増径部に続く中外径中間部、該中間部に続く後方に向かって外径が漸次増大する第二の増径部、及び該第二の増径部に続く大外径後部を有し、該一対の引き出し線の該一方の該後端と該一対のリード線の該一方の該先端との該接続部は、該第一の増径部の後端部と該中間部の前端部とに跨って位置し、該一対の引き出し線の該他方の該後端と該一対のリード線の該他方の該先端との該接続部は、該第二の増径部の後端部と該後部の前端部とに跨って位置し、
該被覆層は加熱溶融された内層と加熱収縮された外層とを有し、該ガラスの周表面は該外層の内面に直接的に接触せしめられている、
ことを特徴とする温度センサ。
【請求項２】
該被覆層は加熱溶融された内層と加熱収縮された外層とを有し、該外層の加熱収縮により該内層は該被覆層の後端及び前端から外部に流出するが、該前端においては該内層の流出部が取り除かれているが該後端においては該内層の流出部が残留されている、請求項１記載の温度センサ。
【発明の詳細な説明】
【技術分野】
【０００１】
本発明は、温度センサ、更に詳しくはGRC（Glass  sealed  radial  lead  chip  thermistor）型温度センサ（即ちサーミスタと先端がサーミスタに接続された一対の引き出し線の先端部がガラスによってシールされている形態の温度センサ）に関する。
【背景技術】
【０００２】
下記特許文献１には、GRC型温度センサとして、サーミスタと、先端がサーミスタに接続された一対の引き出し線と、サーミスタと一対の引き出し線の先端部をシールするガラスと、先端が一対の引き出し線の各々の後端に接続された一対のリード線と、ガラス、一対の引き出し線の先端部以外の部分及び一対のリード線の先端部を被覆する合成樹脂製被覆層とを含む温度センサが開示されている。被覆は加熱溶融された内層と加熱収縮された外層とを有する。
【先行技術文献】
【特許文献】
【０００３】
【特許文献１】特許第５８３０６３６号公報
【発明の概要】
【発明が解決しようとする課題】
【０００４】
而して、上述した形態の温度センサには、特に温度センサの温度検出部（即ちガラスでシールされているサーミスタ及び一対の引き出し線の先端部）を狭小部に挿入して所要位置に固定する際に、一対の引き出し線におけるガラスによってシールされていない部分が折り曲げられ、これに起因して引き出し線が切断されてしまう、ガラスが破断されサーミスタが露呈されてしまう、或いは一対の引き出し線が短絡してしまう、という問題が発生する虞がある。
【０００５】
本発明は上記事実に鑑みてなされたものであり、その主たる技術的課題は、一対の引き出し線が折り曲げられてしまうことが充分確実に防止され、そして更に取扱い特性が良好で且つ測温特性も良好である、新規且つ改良された温度センサを提供することである。
【課題を解決するための手段】
【０００７】
本発明によれば、上記技術的課題を達成する温度センサとして、
サーミスタと、先端が該サーミスタに接続された一対の引き出し線と、該サーミスタと該一対の引き出し線の先端部をシールするガラスと、先端が該一対の引き出し線の各々の後端に接続された一対のリード線と、該ガラス、該一対の引き出し線の該先端部以外の部分及び該一対のリード線の先端部を被覆する合成樹脂製被覆層とを含む温度センサにおいて、
該一対の引き出し線の各々の該先端部以外の部分には、熱硬化性合成樹脂製チューブが被嵌されており、
該一対の引き出し線の一方の該後端と該一対のリード線の一方の該先端との接続部は、該一対の引き出し線の他方の該後端と該一対のリード線の他方の該先端との接続部よりも長手方向前方に位置し、該被覆層は小外径前部、該前部に続く後方に向かって外径が漸次増大する第一の増径部、該第一の増径部に続く中外径中間部、該中間部に続く後方に向かって外径が漸次増大する第二の増径部、及び該第二の増径部に続く大外径後部を有し、該一対の引き出し線の該一方の該後端と該一対のリード線の該一方の該先端との該接続部は、該第一の増径部の後端部と該中間部の前端部とに跨って位置し、該一対の引き出し線の該他方の該後端と該一対のリード線の該他方の該先端との該接続部は、該第二の増径部の後端部と該後部の前端部とに跨って位置し、
該被覆層は加熱溶融された内層と加熱収縮された外層とを有し、該ガラスの周表面は該外層の内面に直接的に接触せしめられている、
ことを特徴とする温度センサが提供される。
【０００８】
該外層の加熱収縮により該内層は該被覆層の後端及び前端から外部に流出するが、該前端においては該内層の流出部が取り除かれているが、該後端においては該内層の流出部が残留されているのが好ましい。
【発明の効果】
【０００９】
本発明の温度サンサにおいては、一対の引き出し線の所要部位に被嵌されたチューブによって一対の引き出し線の各々の先端部以外の部分、即ちガラスによってシールされていない部分の剛性が増大され、折り曲げられてしまうことが充分確実に防止される。被覆層が加熱溶融された内層と加熱収縮された外層とを有する形態、従って被覆層が加熱される場合においても、チューブは熱硬化性合成樹脂製であるので被覆層の加熱によってチューブが劣化されることはない。
加えて、被覆層は小外径前部、前部に続く後方に向かって外径が漸次増大する第一の増径部、第一の増径部に続く中外径中間部、中間部に続く後方に向かって外径が漸次増大する第二の増径部、及び第二の増径部に続く大外径後部を有する形態である故に、取扱い特性が良好である。また、ガラスの周表面は外層の内面に直接的に接触せしめられている故に、測温特性も良好である。
【図面の簡単な説明】
【００１０】
【図１】本発明に従って構成された温度センサの好適実施形態を示す断面図。
【図２】図１の温度センサにおける主要部を示す部分側面図。
【発明を実施するための形態】
【００１１】
以下、本発明に従って構成された温度センサの好適実施形態を図示している添付図面を参照して、更に詳細に説明する。
【００１２】
図１及び図２を参照して説明すると、全体を番号２で示す、本発明に従って構成された温度センサは、サーミスタ４、先端がサーミスタ４に接続された一対の引き出し線６ａ及び６ｂを含んでいる。一対の引き出し線６ａ及び６ｂはジュメット線から形成されているのが好適である。サーミスタ４並びに一対の引き出し線６ａ及び６ｂの先端部はガラス８によってシールされている。ガラス８の外周面は円筒形状であるのが好都合である。一対の引き出し線６ａ及び６ｂの各々の後端には一対のリード線１０ａ及び１０ｂの先端が接続されている。一対のリード線１０ａ及び１０ｂの各々は、多数の撚り線から構成された芯材１２ａ及び１２ｂをＰＴＦＥ（ポリテトラフルオロエチレン）の如きフッ素系合成樹脂製であるのが好都合である外装チューブ１４ａ及び１４ｂによって被覆した形態であるのが好ましい。一対のリード線１０ａ及び１０ｂの各々の先端においては外装チューブ１４ａ及び１４ｂが除去されて芯材１２ａ及び１２ｂが露呈されており、一対の引き出し線６ａ及び６ｂの後端は露呈された芯材１２ａ及び１２ｂに溶接又は半田付けによって接続されている。
【００１３】
図１を参照することによって明確に理解されるとおり、一対の引き出し線６ａ及び６ｂの一方６ａの後端と一対のリード線１０ａ及び１０ｂの一方１０ａの先端との接続部１６ａと、一対の引き出し線６ａ及び６ｂの他方６ｂの後端と一対のリード線１０ａ及び１０ｂの他方１０ｂの先端との接続部１６ｂとは、長手方向において相互にずらされていて、一対の引き出し線６ａ及び６ｂの一方６ａの後端と一対のリード線１０ａ及び１０ｂの一方１０ａの先端との接続部１６ａは、一対の引き出し線６ａ及び６ｂの他方６ｂの後端と一対のリード線１０ａ及び１０ｂの他方１０ｂの先端との接続部１６ｂよりも幾分前方に位置せしめられているのが好ましい。
【００１４】
引き出し線６ａ及び６ｂの各々におけるガラス８によってシールされていない部分には、熱硬化性合成樹脂、好ましくはポリイミド，ポリアミド又はポリイミドアミド、から形成されているチューブ１８ａ及び１８ｂが被嵌されていることが重要である。引き出し線６ａ及び６ｂにおけるガラス８によってシールされていない部分の実質上全長に渡ってチューブ１８ａ及び１８ｂが被嵌されているのが好都合である。チューブ１８ａ及び１８ｂの内径は引き出し線６ａ及び６ｂの外径よりも幾分大きく、従って引き出し線６ａ及び６ｂに充分容易にチューブ１８ａ及び１８ｂを被嵌することができるのが好都合である。
【００１５】
図１に明確に図示するとおり、図示の温度センサ２は、ガラス８、一対の引き出し線６ａ及び６ｂのガラス８によってシールされている先端部以外の部分、並びに一対のリード線１０ａ及び１０ｂの先端部を被覆するチューブ形状の被覆層２０を含んでいる。かかる被覆層２０は、加熱溶融される内層２２と加熱収縮される外層２４とから構成されているのが望ましい。内層２２の好適例としては融点が３０２乃至３１０℃程度であるＰＦＡ（テトラフルオロエチレン・パールオロアルキルビニルエーテル供重合体）を上げることができ、外層２４の好適例としては融点が３２７℃程度であるＰＴＦＥ（ポリテトラフルオロエチレン）を挙げることができる。かような被覆層２０は、チューブ形状の内層２２と外層２４を予め積層した状態で、幾分弾性的に拡張して所要部位に強制的に被嵌し、しかる後に例えば３１５℃程度に加熱することによって好都合に配設することができる。３１５℃程度に加熱すると、内層２２は溶融され、外層２４は収縮され、かくしてガラス８、一対の引き出し線６ａ及び６ｂのガラス８によってシールされている先端部以外の部分、並びに一対のリード線１０ａ及び１ｂの先端部が被覆層２０によって堅固に被覆される。加熱溶融された内層２２は冷却されて硬化されるが、冷却される前に外層２４の収縮に起因して被覆層２０の後端及び前端から外部に流出する傾向がある。図１には被覆層２０の後端から流出した内層を番号２２Ａで示している。被覆層２０の後端から流出した内層２２Ａは特に取り除く必要はないが、被覆層２０の前端から流出した内層（図示していない）は、所要部位に温度センサ２の温度検出部を装着する際に妨げとなるので、取り除くことが必要である。
【００１６】
内層２２と外層２４とから構成されている被覆層２０は所要部位に被覆する前、従って加熱する前の状態で、外層２４の内径がガラス８の外径と実質上同一或いは若干だけ大きいことが重要である。かような被覆層２０を使用すると、弾性的に幾分拡張して所要部位に被覆した後に加熱して内層２２を溶融し外層２４を収縮させると、図１に明確に図示する如く、ガラス８が位置する部位においては内層２２が実質上存在せず、外層２４が直接的にガラス８に接触する。従って、温度を検出すべき部位に温度センサ２の温度検出部を装着すると外層２４のみを介してガラス８が温度を検出すべき部位に当接され、良好な測温特性が達成される。
【００１７】
上述した通りにして被覆層２０を配設すると、図１に図示するとおり、被覆層２０は小外径前部２６、これに続く後方に向かって外径が漸次増大する第一の増径部２８、第一の増径部２８に続く中外径中間部３０、中間部３０に続く外径が漸次増大する第二の増径部３２、及び第二の増径部３２に続く大外径後部３４を有する形態になる。かかる形態は外観上優れていることに加えて取扱い特性も良好である。引き出し線６ａの後端とリード線１０ａの先端との接合部１６ａは第一の増径部２８の後端部と中間部の前端部とに跨って位置し、引き出し線６ｂの後端とリード線１０ｂの前端との接合部１６ｂは第二の増径部３２と後端部の前端部とに跨って位置する。
【符号の説明】
【００１８】
２：温度センサ
４：サーミスタ
６ａ：引き出し線
６ｂ：引き出し線
８：ガラス
１０ａ：リード線
１０ｂ：リード線
１６ａ：接続部
１６ｂ：接続部
１８ａ：チューブ
１８ｂ：チューブ
２０：被覆層
２２：内層
２４：外層
【要約】
【課題】サーミスタと、先端がサーミスタに接続された一対の引き出し線と、サーミスタと一対の引き出し線の先端部をシールするガラスとを含む温度センサにおいて、一対の引き出し線が折り曲げられてしまうことを充分確実に防止する。
【解決手段】一対の引き出し線の各々の先端部以外の部分、即ちガラスによってシールされていない部分に、熱硬化性合成樹脂製チューブを被嵌する。
【選択図】図２【図１】
0006895186.tif 000002
【図２】
0006895186.tif 000003